(57)【要約】【解決手段】  たて糸４とよこ糸５とを、２／１綾織り組織にて筒状に織成してなるジャケット３の内面に、柔軟なゴム又はプラスチックのライニング６を形成してなる消防用ホース１において、当該消防用ホース１を扁平に折り畳んだ状態における腹部８の厚さが、耳部７及びその近傍の厚さより２〜１０％厚い。【効果】  消防用ホース１を図７に示すように巻回したとき、耳部７の膨らみ９を無理に解消することなく、腹部８同士が当接することにより巻回することができ、側方にずれることなく巻回することができ、美しい巻き姿を形成することができると共に、巻き崩れが生じることもない。【選択図】          図１
2015134043.tif 000002
【特許請求の範囲】
【請求項１】
たて糸（４）とよこ糸（５）とを、２／１綾織り組織にて筒状に織成してなるジャケット（３）の内面に、柔軟なゴム又はプラスチックのライニング（６）を形成してなる消防用ホース（１）において、当該消防用ホース（１）を扁平に折り畳んだ状態における腹部（８）の厚さが、耳部（７）及びその近傍の厚さより２〜１０％厚いことを特徴とする、消防用ホース
【請求項２】
前記腹部（８）のジャケット（３）を構成するたて糸（４ｂ）が、前記耳部（７）及びその近傍のジャケット（３）を構成するたて糸（４ａ）よりも、見かけの太さが５〜２０％太いことを特徴とする、請求項１に記載の消防用ホース
【発明の詳細な説明】
【技術分野】
【０００１】
本発明はたて糸とよこ糸とを筒状に織成してなるジャケットの内面にゴム又はプラスチックのライニングを施してなる消防用ホースに関するものであって、特に前記ジャケットが２／１綾織りにより織成された消防用ホースにおいて、コイル状に巻回したときに美しい巻き姿を形成することができ、巻き崩れが生じにくい消防用ホースを提供することを目的とするものである。
【背景技術】
【０００２】
一般に消防用ホース１は両端に接続金具２が取り付けられており、不使用時には図７に示すようにコイル状に巻回した状態で収納され、且つ消防自動車に搭載される。そしてそのコイル状の消防用ホースを火災現場において転がすことにより展張して伸ばし、接続金具２を結合して通水するのである。
【０００３】
このとき消防用ホース１が美しい巻き姿で巻かれていないと、コイルの中心が側方に抜けて巻き崩れが生じたり、またこの消防用ホースを展張する際にスムーズに転がらず、曲がってしまうことがある。
【０００４】
特に消防用ホース１において、ジャケットが綾織り組織で織成されている場合には、前述のように美しい巻き姿を形成することが難しく、巻き崩れが生じることが多かったのである。
【０００５】
従来は一般的に消防用ホース１のジャケット３は、図６に示されるように、たて糸４とよこ糸５とを平織り組織で織成されることが多く、ジャケット３の内外面共にたて糸４で覆われており、そのジャケット３の内面にゴム又はプラスチックのライニング６が施されている。
【０００６】
かかる構造においては、ライニング６はたて糸４のみに接着しており、よこ糸５には接着されることはない。そのため図６に示すように消防用ホース１を扁平に折り畳んだときに、消防用ホース１の耳部７において強く折り畳まれても、ジャケット３を構成するたて糸４とよこ糸５とが互いに融通し合い、腹部８の厚さのままで耳部７まできちんと折り畳まれるのである。
【０００７】
しかしながら近年、特に柔軟なホースが求められ、さらに特に外傷や摩耗に対する耐久性を向上させるため、外面に内面よりもたて糸４が多く配置された、２／１綾織り組織のジャケット３が使用されるようになってきた。
【０００８】
ところが２／１綾織り組織は、外面においてたて糸４がよこ糸５の表面に二本浮き、一本沈むことを繰り返す組織であるため、図４に示すようにジャケット３の内面においてよこ糸５が露出し、ライニング６がたて糸４のみならずよこ糸５にも接着することとなるのである。
【０００９】
かかる状態で消防用ホース１を扁平に折り畳もうとすると、よこ糸５に接着していたライニング６がその両側からたて糸４で挟圧されることになるため、平織り組織のジャケット３の場合において述べたように、たて糸４とよこ糸５とが融通し合うことができず、耳部において扁平に折り畳むことが困難となるのである。
【００１０】
そのためこの消防用ホース１を無理に扁平に折り畳もうとすると、耳部７において急角度で折り畳まれることができず、図４に示すように耳部が膨らんで、その膨らみ９を解消することができない。
【００１１】
それ故その消防用ホース１を図７のように巻回すると、前述のように耳部７が膨らんでいるため、その膨らみ９同士が互いにぶつかり合い、その状態で隣接する消防用ホース１同士が押し合うことになる。
【００１２】
そのためその膨らみ９が側方にずれ合うことにより落ち着き、図５に示すように耳部が激しい凹凸を形成し、消防用ホース１の巻き上がりが極めて見苦しいものとなると共に、隣接する消防用ホース１同士の接触面が少ないため、側方にずれて巻き崩れを生じ易くなるのである。
【００１３】
なお、本発明と類似の構造を有する消防用ホースとして、特開２００１‐１４１１２７号公報に示されたものがあるが、このものは公報中に明記はされていないが、ジャケットは従来の平織り組織で織成されたものであると思われ、効果として展張性の向上が歌われているだけであって、前述のような巻き上がりの美しさや巻き崩れを防止する効果については全く記載されておらず、平織り組織のジャケットでは、このような問題は生じないものと考えられる。
【先行技術文献】
【特許文献】
【００１４】
【特許文献１】特開２００１‐１４１１２７号公報
【発明の概要】
【発明が解決しようとする課題】
【００１５】
本発明はかかる事情に鑑みなされたものであって、たて糸とよこ糸とを２／１綾織り組織にて織成したジャケットの内面に、柔軟なゴム又はプラスチックのライニングを形成してなる柔軟な消防用ホースにおいて、これをコイル状に巻回したときに耳部がきちんと揃って巻かれ、且つ巻き崩れが生じることのない消防用ホースを提供することを目的とするものである。
【課題を解決するための手段】
【００１６】
而して本発明は、たて糸とよこ糸とを、２／１綾織り組織にて筒状に織成してなるジャケットの内面に、柔軟なゴム又はプラスチックのライニングを形成してなる消防用ホースにおいて、当該消防用ホースを扁平に折り畳んだ状態における腹部の厚さが、耳部及びその近傍の厚さより２〜１０％厚いことを特徴とするものである。
【００１７】
本発明においては、前記腹部のジャケットを構成するたて糸が、前記耳部及びその近傍のジャケットを構成するたて糸よりも、見かけの太さが５〜２０％太いものとすることが好ましい。
【発明の効果】
【００１８】
本発明によれば、消防用ホース１の腹部８が耳部７及びその近傍よりも厚さが大きいので、その消防用ホース１を図７に示すように巻回したとき、耳部７の膨らみ９を無理に解消することなく、腹部８同士が当接することにより巻回することができ、側方にずれることなく巻回することができ、美しい巻き姿を形成することができると共に、巻き崩れが生じることもない。
【図面の簡単な説明】
【００１９】
【図１】本発明の消防用ホースの横断面図
【図２】本発明の消防用ホースを扁平に折り畳んだ状態の横断面図
【図３】本発明の消防用ホースを巻回した状態の、図７におけるIII−III断面図
【図４】従来の綾織り組織の消防用ホースを扁平に折り畳んだ状態の横断面図
【図５】従来の綾織り組織の消防用ホースを巻回した状態の、図７におけるIII−III断面図
【図６】従来の平織り組織の消防用ホースを扁平に折り畳んだ状態の横断面図
【図７】消防用ホースを巻回した状態の側面図
【発明を実施するための形態】
【００２０】
以下本発明を図面に従って説明する。図１は本発明の消防用ホース１の横断面図であって、たて糸４とよこ糸５とを筒状に織成したジャケット３の内面に、ライニング６を形成したものである。
【００２１】
そしてこの消防用ホース１のジャケット３は、２／１綾織り組織により織成されている。すなわちたて糸４が表面によこ糸５二本分浮いたのち、よこ糸５一本分沈むことを繰り返している。逆によこ糸５の浮沈で言えば、よこ糸５がたて糸４一本分表面に浮いたのち、たて糸４二本分沈むことを繰り返している。
【００２２】
そして本発明においては、前記たて糸４として、消防用ホース１の腹部８を形成するたて糸４ｂが、耳部７を形成するたて糸４ａよりも見かけの太さが太い糸を使用することにより、消防用ホース１の腹部８の厚みが耳部７及びその近傍よりも厚くなるように構成されている。
【００２３】
腹部８を形成するたて糸４ｂは、耳部７を形成するたて糸４ａよりも、見かけの太さが５〜２０%太いものとすることが好ましい。このようにすることにより、消防用ホース１の腹部８の厚みが、耳部７及びその近傍に比べて、２〜１０％厚くなるように構成するのが適当である。
【００２４】
腹部８のたて糸４ｂの見かけ太さを太くする手段としては、耳部７のたて糸４ａよりも繊維量を増すこともできるが、例えばたて糸４ａをフィラメント糸で形成し、たて糸４ｂをスパン糸又は嵩高加工糸で形成することにより、繊維量をほとんど変えることなく、見かけ太さを太くすることも可能である。
【００２５】
以上のようにすることにより、消防用ホース１の腹部８が耳部７及びその近傍に比べて厚くなる。そのため図２に示すように、消防用ホース１を扁平に折り畳んだときその耳部７に多少の膨らみ９があったとしても、それを無理に解消することなく、腹部８の厚みｔの範囲内に納まるのである。
【００２６】
それ故この消防用ホース１をコイル状に巻回したときも、図３に示すように厚い腹部８において隣接する消防用ホース１が互いに当接し合い、且つ膨らみ９が互いに当接し合ってもそれが邪魔になることがなく、前記図５に見られるような巻き姿の乱れがなく、きちんとした巻き姿が得られる。
【００２７】
また腹部８において隣接する消防用ホース１が互いに当接し合っており、それが巻回力によって互いに押し合っているので、隣接する消防用ホース１が互いにずれることがなく、巻き崩れが生じることがない。
【産業上の利用可能性】
【００２８】
以上の説明においては高性能の消防用ホース１として説明しているが、２／１綾織り組織で織成されたジャケット３の内面にライニング６を施したものである限り、消防用に限らず排水用ホースなどにおいても、本願発明を利用することが可能であり、これらも消防用ホース１に含むものである。
【符号の説明】
【００２９】
１  消防用ホース
３  ジャケット
４  たて糸
５  よこ糸
６  ライニング
７  耳部
８  腹部
９  膨らみ
【図１】
2015134043.tif 000003
【図２】
2015134043.tif 000004
【図３】
2015134043.tif 000005
【図４】
2015134043.tif 000006
【図５】
2015134043.tif 000007
【図６】
2015134043.tif 000008
【図７】
2015134043.tif 000009